(57)【要約】【課題】構造が簡単で、製造が容易な金属製のイジェクト部材を有するカードコネクタを提供する。【解決手段】絶縁性合成樹脂から成形されるベース部材と、金属薄板から形成されるカバー部材とで、カードを収容し得るカード収容空間を形成するカードコネクタであって、ベース部材に配置される複数のコンタクト、ベース部材に対して前後方向に移動可能であるイジェクト部材、該イジェクト部材を後方に付勢する圧縮コイルバネ、ハートカム及びカム溝を含むハートカム機構を備え、イジェクト部材は、カード押圧部、前方にコイルバネ収容空間及び後方に揺動空間を形成する、垂直断面で逆Ｕ字形の本体部、及びカード押圧部と本体部の前方を連結する、垂直断面でＵ字形の連結部を含み、カード押圧部、本体部、及び連結部を含むイジェクト部材は、金属薄板から一体に形成され、コイルバネ収容空間及び揺動空間は、前後方向同一ライン上に一列に配置されている。【選択図】図２
2010050077.tif 000002
【特許請求の範囲】
【請求項１】
絶縁性合成樹脂から成形され、底壁及び前壁を少なくとも有するベース部材と、金属薄板から形成され、天板及び左右の側壁を少なくとも有するカバー部材とを組み立てることにより、集積回路を内蔵するカードの少なくとも一部を挿抜可能に収容し得るカード収容空間を形成するカードコネクタであって、
前記ベース部材に配置され、前記カードに電気的に接続される複数のコンタクト、
前記カードの挿抜に伴い、前記ベース部材に対して前記カードの挿抜方向である前後方向に移動可能であって、左右方向に弾性変形可能な揺動アームを有するイジェクト部材、
前記カードが前記カード収容空間内に装着されているとき、前記イジェクト部材を後方に付勢する圧縮コイルバネ、
前記ベース部材に形成されるハートカム、及び該ハートカムの周囲及び該ハートカムから延在するように形成され、前記揺動アームの先端部に設けられたロックピンが移動するカム溝を含むハートカム機構、
を備え、
前記イジェクト部材は、前記カードの先端が当接するカード押圧部、前方に前記圧縮コイルバネを収容するコイルバネ収容空間及び後方に前記揺動アームが左右に揺動可能な揺動空間を形成する、垂直断面でＵ字形の本体部、及び前記カード押圧部と前記本体部の前方を連結する連結部を含み、
前記カード押圧部、前記本体部、及び前記連結部を含む前記イジェクト部材は、金属薄板から一体に形成され、
前記コイルバネ収容空間及び前記揺動空間は、前後方向同一ライン上に一列に配置されていることを特徴とするカードコネクタ。
【請求項２】
前記イジェクト部材は、左右方向に弾性変形可能なフィーリングロック部材をさらに有し、
該フィーリングロック部材は、前記揺動空間を挟んで前記揺動アームに対向する位置に設けられるとともに、前記フィーリングロック部材の支点と前記揺動アームの支点とは、前記揺動空間を挟んで対角に位置していることを特徴とする請求項１に記載のカードコネクタ。
【請求項３】
前記イジェクト部材を構成する前記本体部は、水平壁、外壁及び内壁を有して垂直断面Ｕ字形をなし、
前記イジェクト部材を構成する前記連結部は、水平壁、垂直外壁及び垂直内壁を有し、
前記連結部の垂直外壁は、前記本体部の内壁の一部を構成することを特徴とする請求項２に記載のカードコネクタ。
【請求項４】
前記揺動アームは、前記イジェクト部材を構成する前記本体部の前記外壁の一部から形成されるとともに、前記揺動空間内で左右に揺動するように形成され、
前記フィーリングロック部材は、前記イジェクト部材を構成する前記本体部の前記内壁の一部から形成され、前記カード収容空間と前記揺動空間との間を左右に揺動するように形成されることを特徴とする請求項３に記載のカードコネクタ。
【請求項５】
前記イジェクト部材を構成する前記本体部の前記水平壁は、前記カバー部材の前記天板に接するように前後方向に移動することを特徴とする請求項４に記載のカードコネクタ。
【請求項６】
前記連結部は、水平壁、垂直外壁及び垂直内壁とで垂直断面Ｕ字形に形成されていることを特徴とする請求項３に記載のカードコネクタ。
【請求項７】
前記連結部は、水平壁、垂直外壁及び垂直内壁とで垂直断面階段状に形成されていることを特徴とする請求項３に記載のカードコネクタ。
【発明の詳細な説明】
【技術分野】
【０００１】
本発明は、集積回路が内蔵されるカード（以下、単に、「ＩＣカード」という。）を電子機器などの配線基板に接続するためのカードコネクタに関し、より詳細には、ＩＣカードの着脱を助けるイジェクト機構を備えるカードコネクタに関する。
【背景技術】
【０００２】
ＩＣカードの着脱を容易に、かつ確実に行うことができるように構成されているプッシュ・プッシュ式イジェクト機構は、例えば、特許文献１に開示されるように、従来から良く知られている。
【０００３】
特許文献１に開示されるカードコネクタは、絶縁性合成樹脂剤からなるベース部材と金属製または合成樹脂性のカバー部材とでカード収容空間を形成している。また、プッシュ・プッシュ式イジェクト機構は、概ね、合成樹脂性のイジェクト部材、圧縮コイルバネ、ハート形カム機構、及び揺動アームを備えている。イジェクト部材は、ＩＣカードに当接し、ＩＣカードとともにカードコネクタのカード収容空間内をベース部材の側壁に沿って移動する。該イジェクト部材は、また、ベース部材に配置される圧縮コイルバネにより、ＩＣカード抜き取り方向に付勢されている。ハート形カム機構は、ベース部材に形成されており、揺動アームの一端がハート形カム機構のカム溝内を案内される。なお、揺動アームの他端は、イジェクト部材に揺動自在に保持されている。
【０００４】
さらに、ＩＣカード抜き取り時に該ＩＣカードの飛び出し等を防止するために、イジェクト部材に取り付けられているフィーリングロック部材も、従来から提案されている。
【０００５】
【特許文献１】特開２０００−２５１０２４号公報
【発明の開示】
【発明が解決しようとする課題】
【０００６】
特許文献１などに開示されるように、イジェクト部材が合成樹脂製である場合、材料強度に限界があり、イジェクト部材の厚さや幅を大きくする必要があり、結果としてカードコネクタの小型化、薄型化を困難にしている。また、揺動アームや、フィーリングロック部材は、イジェクト部材とは別部材として作成され、イジェクト部材に取り付けられることで、部品点数が増大するとともに製造工程も増す。さらに、イジェクト部材は、合成樹脂製のベース部材の側壁に沿って移動するように構成されているので、ＩＣカードの挿抜が度重なると該側壁が磨耗し、損傷する恐れがある。
【０００７】
本願発明の目的は、このような問題点を解決すべく、構造が簡単で、製造が容易な金属製のイジェクト部材を有するカードコネクタを提供することにある。
【課題を解決するための手段】
【０００８】
上記目的を達成するための本発明に係るカードコネクタは、絶縁性合成樹脂から成形され、底壁及び前壁を少なくとも有するベース部材と、金属薄板から形成され、天板及び左右の側壁を少なくとも有するカバー部材とを組み立てることにより、集積回路を内蔵するカードの少なくとも一部を挿抜可能に収容し得るカード収容空間を形成するカードコネクタであって、ベース部材に配置され、カードに電気的に接続される複数のコンタクト、カードの挿抜に伴い、ベース部材に対してカードの挿抜方向である前後方向に移動可能であって、左右方向に弾性変形可能な揺動アームを有するイジェクト部材、カードがカード収容空間内に装着されているとき、イジェクト部材を後方に付勢する圧縮コイルバネ、ベース部材に形成されるハートカム、及び該ハートカムの周囲及び該ハートカムから延在するように形成され、揺動アームの先端部に設けられたロックピンが移動するカム溝を含むハートカム機構を備え、イジェクト部材は、カードの先端が当接するカード押圧部、前方に圧縮コイルバネを収容するコイルバネ収容空間及び後方に揺動アームが左右に揺動可能な揺動空間を形成する、垂直断面で逆Ｕ字形の本体部、及びカード押圧部と本体部の前方を連結する垂直断面でＵ字形の連結部を含み、カード押圧部、本体部、及び連結部を含むイジェクト部材は、金属薄板から一体に形成され、コイルバネ収容空間及び揺動空間は、前後方向同一ライン上に一列に配置されていることを特徴とする。
【０００９】
また、本発明に係るカードコネクタは、イジェクト部材は、左右方向に弾性変形可能なフィーリングロック部材をさらに含み、該フィーリングロック部材は、揺動空間を挟んで揺動アームに対向する位置に設けられるとともに、フィーリングロック部材の支点と揺動アームの支点とは、揺動空間を挟んで対角に位置していることを特徴とする。
【００１０】
さらに、本発明に係るカードコネクタは、イジェクト部材を構成する本体部は、水平上壁、外壁及び内壁を有して垂直断面逆Ｕ字形をなし、イジェクト部材を構成する連結部は、水平下壁、外壁及び内壁を有して垂直断面Ｕ字形をなし、連結部の外壁は、本体部の内壁の一部を構成していることを特徴とする。
【００１１】
また、本発明に係るカードコネクタは、前記揺動アームは、前記イジェクト部材を構成する前記本体部の前記外壁の一部から形成されるとともに、前記揺動空間内で左右に揺動するように形成され、前記フィーリングロック部材は、前記イジェクト部材を構成する前記本体部の前記内壁の一部から形成され、前記カード収容空間と前記揺動空間との間を左右に揺動するように形成されることが好ましい。
【００１２】
さらに、本発明に係るカードコネクタは、前記イジェクト部材を構成する本体部の水平上壁は、カバー部材の天板に接するように前後方向に移動することが好ましい。
【発明の効果】
【００１３】
本発明に係るカードコネクタの少なくとも揺動アームを有するイジェクト部材は、金属薄板から一体に形成されるので、部品点数を削減するとともに、さらに、コイルバネ収容空間と揺動空間がイジェクト部材の前後に同一ライン上に配置されることで、イジェクト部材の小型化が可能となり、ひいては、カードコネクタの小型化を可能とする。
【００１４】
イジェクト部材は、さらにフィーリングロック部材を有することで、部品点数がさらに削減するとともに、それぞれの揺動支点が対角に位置するように揺動アームとフィーリングロック部材を対向して配置することで、揺動空間を小さくすることが可能となり、したがって、カードコネクタの小型化を可能とする。
【００１５】
イジェクト部材の本体部を逆Ｕ字形とすることでイジェクト部材の本体部の剛性を確保し、形成される空間をコイルバネ収容空間及び揺動空間に利用することで、カードコネクタの小型化をさらに図ることができるとともに、収容される圧縮コイルバネのたわみを防止することができる。それにより、イジェクト部材がカード収容空間側に傾斜することを防止できる。
【００１６】
揺動アームとフィーリングロック部材とをイジェクト部材を構成する本体部の対向する外壁及び内壁の一部を利用して形成することで、揺動空間を小さくすることがより確実に行える。
【００１７】
イジェクト部材を構成する本体部の水平上壁をカバー部材の天板に接するように移動させることで、イジェクト部材は、カードの装着及び取り外し時に、ベース部材の側壁との磨耗を発生させることがなく、且つ、円滑に前後方向に移動することが可能となる。
【発明を実施するための最良の形態】
【００１８】
（第１の実施態様）
本発明の第１の実施態様を、図１ないし１１を用いて説明する。図１は、本発明に係るカードコネクタの右斜め後方であって上方から見た斜視図である。図２は、カバー部材を取り除いたカードコネクタの上面図である。図３は、図２に示されるカバー部材を取り除いたカードコネクタのカード収容空間内にカードが挿入されている途中の状態を示す斜視図である。図４は、図２に示されるカードコネクタのカード収容空間内にカードが挿入される状態を示す図であり、カードがカード収容空間内に完全に挿入された状態を示す斜視図である。図５は、イジェクト部材が組み込まれたカバー部材の下面図である。図６は、図５のカバー部材の左斜め後方であって下方から見た斜視図である。図７ないし１０は、本発明に係るカードコネクタのイジェクト部材の詳細図であり、図７（ａ）は、イジェクト部材の左斜め前方であって上方から見た斜視図であり、図７（ｂ）は、７（ａ）のイジェクト部材に圧縮コイルばねが組み込まれた斜視図である。図８（ａ）は、図７（ａ）のイジェクト部材の上面図であり、図８（ｂ）は、図７（ａ）のイジェクト部材を別の角度から見た斜視図である。図９（ａ）は、イジェクト部材の右斜め前方であって下方から見た斜視図であり、図９（ｂ）は、図９（ａ）に示されるイジェクト部材の一部拡大図である。図１０は、図７（ａ）のイジェクト部材の下面図である。図１１は、複数のコンタクトが配置されたベース部材の右斜め後方であって上方から見た斜視図である。
【００１９】
なお、本明細書の説明において、用語「前」及び「後ろ」は、図１に示される座標において、それぞれ、＋ｘ方向及び−ｘ方向を指し、用語「左」及び「右」は、それぞれ、図１に示される＋ｙ方向及び−ｙ方向を指し、用語「上」及び「下」は、それぞれ、＋ｚ方向及び−ｚ方向を指すものとする。
【００２０】
図１及び２に示されるように、カードコネクタ１は、概略、カバー部材１０、ベース部材２０、イジェクト部材３０及び複数のコンタクト５０を備えている。
【００２１】
カバー部材１０は、金属薄板からプレス加工により形成され、後述するベース部材２０と上下に重ね合わせて組み立てることにより、ＩＣカード９０の少なくとも一部が収容されるカード収容空間５を形成する。ＩＣカード９０は、カード収容空間５の後方に形成されるカード挿入口６から前方に向かって挿入される。カードコネクタ１に装着されるＩＣカード９０は、本実施態様においては、周知のＳＤ（Super densityまたはSecure Digital）カードであって、左右に一対の段部９５ａ、９５ｂが形成され、カードの下側は上側に比べて若干幅（左右方向の長さ）が狭い構造を有している。また、ＩＣカード９０の外部接点である接触パッドは、カード下側に形成された凹部内に配設されている。なお、本発明に係るカードコネクタ１に装着されるＩＣカード９０は、これに限られるものではない。
【００２２】
カバー部材１０は、図５及び６に詳細に示されるように、カード収容空間５の上壁を構成する矩形状の天板１１、該天板１１の左右に形成される左側壁１２ａ及び右側壁１２ｂを有する。左右の側壁１２ａ、１２ｂは、いずれも天板１１に対して直角をなしており、互いに対して平行である。本実施態様では、カバー部材１０の天板１１及び右側壁１２ｂに沿って、後述するＩＣカード９０の装着、排出のためのプッシュ・プッシュ式イジェクト機構を構成するイジェクト部材３０が前後方向（言い換えれば、ＩＣカード９０の挿抜方向）に移動する。本実施態様では、このようにイジェクト部材３０が右側壁１２ｂに沿って移動するように構成されているが、挿入されるＩＣカードの構造によっては、左側壁１２ａに沿って移動する構成を採用することも可能である。左右の側壁１２ａ、１２ｂの前方端には、それぞれ、前方半田付け片１３ａ、１３ｂが左右の側壁１２ａ、１２ｂから延設され、相対向するように形成される。また、左右の側壁１２ａ、１２ｂの後方端には、それぞれ、後方半田付け片１８ａ、１８ｂが左右の側壁１２ａ、１２ｂから相対向するように折り曲げられている。左右の前方半田付け片１３ａ、１３ｂ及び左右の後方半田付け片１８ａ、１８ｂは、カードコネクタ１を組み立てて後、電子機器などにハンダ付けされ、それにより、カードコネクタ１が電子機器に固定される。
【００２３】
天板１１の前端であって、右側壁１２ｂの近傍には、コイルバネ４０の一端を支持するための第１のコイルバネ支持片１７が天板１１から折り曲げられている。第１のコイルバネ支持片１７は、図６に示されるように、天板１１から直角に折り曲げられている折り曲げ片１７ａからさらに直角に内側（後方）に向かって折り曲げられることで形成されている。したがって、第１のコイルバネ支持片１７は、天板にほぼ平行に形成される。また、折り曲げ片１７ａは、後述するベース部材２０の前壁２２の内壁面（後壁面）に当接するように形成されている。天板１１の前端には、また、固定片１５が適宜の数（本実施態様では、３個）天板１１から直角に折り曲げられている。固定片１５各々は、図６に示されるように、天板１１から直角に折り曲げられている折り曲げ片１５ａからさらに直角に外側（前方）に向かって折り曲げられることで形成されている。また、折り曲げ片１５ａは、後述するベース部材２０の前壁２２の内壁面（後面）に形成される孔２２ｃ（図３参照）に係合する。固定片１５は、カバー部材１０をベース部材２０に対し位置決めするとともに、ベース部材２０に固定するために用いられる。
【００２４】
また、天板１１の後端であって、右側壁１２ｂの近傍には、補強片１９が天板１１から直角に折り曲げられている。補強片１９は、本実施態様では、組み立てられたとき、イジェクト部材３０の後端が当接するベース部材２０の当接壁２７の外面（後面）側に面接触するように形成され、該当接壁２７を補強する。なお、補強片１９は、イジェクト部材３０の後端が直接当接するように、当接壁２７の内面（前面）側に面接触して設けられてもよい。
【００２５】
さらに、天板１１の後方両側には、装着されたＩＣカードが抜け落ちることを防止するための左右一対のブレーキ片１４ａ、１４ｂがプレス加工により形成される。ブレーキ片１４ａ、１４ｂそれぞれは、前方を自由端とし、該自由端がＩＣカード９０に弾性的に接触し得るように、天板１１から内側（下方）に向かって所定の傾斜角度をなして折り曲げられている。
【００２６】
また、本実施態様では、右ブレーキ片１４ｂの前方に、カバー部材１０を介してＩＣカード９０を接地するためのグランド端子片１６がプレス加工により形成されている。該グランド端子片１６は、挿入されるＩＣカード９０との関連で設けられているものであり、必ずしも必要なものではない。グランド端子片１６は、例えば、右ブレーキ片１４ｂと同様に、前方を自由端とし、該自由端がＩＣカード９０のグランド端子（不図示）に弾性的に接触し得るように、天板１１から内側（下方）に向かって所定の傾斜角度をなして折り曲げられている。
【００２７】
次に、ベース部材２０は、絶縁性の合成樹脂から概略筐形状に成形され、上述したように、カバー部材１０と上下に重ね合わせて組み立てることにより、ＩＣカード９０が装着されるカード収容空間５を形成する。
【００２８】
ベース部材２０は、図２及び１１に詳細に示されるように、底壁２１、前壁２２、左側壁２３、左右一対のガイドレール２５ａ、２５ｂ、ガイド底壁２５ｃ及びコンタクト収容溝２４を含んでいる。底壁２１は、カード収容空間５の下壁を構成し、前壁２２は、底壁２１の前端に直立形成され、左側壁２３は、底壁２１の左端に直立形成される。左側壁２３は、前壁２２に対しても直角をなすように形成されている。
【００２９】
本実施態様では、左側壁２３に対応する右側壁が省略されている。すなわち、本実施態様では、従来のカードコネクタと違い、イジェクト部材３０は、ベース部材２０の側壁に沿って移動するのではなく、上述したように、カバー部材１０の右側壁１２ｂに沿って前後方向に移動する。本実施態様では、右側壁が省略されていることで、従来のカードコネクタと比べて、少なくとも該右側壁の厚さ分その幅（左右の長さ）を小さくすることができる。
【００３０】
底壁２１の前方には、複数のコンタクトが１つずつ収容される複数のコンタクト収容溝２４が形成されている。複数のコンタクト収容溝２４は、前壁２２の内側（後側）であって、該前壁２２に対して直角をなし、且つ、互いに平行に前後方向に延びている。コンタクト収容溝２４それぞれは、前壁２２を含めて４周を壁で囲まれ、上から見て細長い矩形形状をなしている。コンタクト収容溝２４の前方には、前壁２２を前後方向に貫通する貫通孔２２ａが形成され、該貫通孔２２ａを通ってコンタクト５０がその固定部５２を介して圧入固定されるとともに、その端子５３が前方に突出している。コンタクト収容溝２４の後方には、また、該コンタクト収容溝２４それぞれに配置されるコンタクト５０の接触部５１の変形量を大きくするため、該接触部５１に対応する位置に底壁２１を上下方向に貫通する貫通孔が形成されていてもよい。
【００３１】
前壁２２の右側端部には、上述した第１のコイルバネ支持片１７の折り曲げ片１７ａの外面（前面）が前壁２２の内壁面に面接触し、該折り曲げ片１７ａが嵌まり込むように、上方及び後方（内側）に向かって開放する収容溝２２ｂが形成されている。
【００３２】
底壁２１の左右両側には、左ガイドレール２５ａ、右ガイドレール２５ｂが底壁２１に対して階段状に対をなして形成される。左右のガイドレール２５ａ、２５ｂは、挿入されるＩＣカード９０の段部形状に倣って形成され、カード挿入口６からカード収容空間５内に挿入されるＩＣカード９０を正しい姿勢で案内する。左ガイドレール２５ａは、左側壁２３の内側（右側）であって該左側壁２３と底壁２１との交差部にカード挿入口６から前壁２２まで前後方向に延在する。右ガイドレール２５ｂは、後述するガイド底壁２５ｃの内側（左側）に、左ガイドレール２５ａに平行に、且つ左ガイドレール２５ａに対向するように、カード挿入口６から前壁２２まで前後方向に延在する。
【００３３】
ガイド底壁２５ｃは、右ガイドレール２５ｂのさらに右側に、該右ガイドレール２５ｂと平行に且つ右ガイドレール２５ｂの上面とほぼ面一に、前後方向に延在する。ガイド底壁２５ｃと右ガイドレール２５ｂとの間には、前後方向に延びるレール溝２６が形成されている。レール溝２６には、後述するイジェクト部材３０の第１及び第２の内壁３７、３８が緩く嵌まり込み、第１及び第２の内壁３７、３８がレール溝２６に案内されることにより、ガイド底壁２５ｃの上をイジェクト部材３０が前後方向に確実に移動することができる。
【００３４】
ガイド底壁２５ｃの後方上面には、プッシュ・プッシュ式イジェクト機構を構成するハートカム機構２９が設けられている。ハートカム機構２９は、従来から知られているように、ハートカム２９ａ、該ハートカム２９ａの周囲及びその前後（本実施態様では、後方）に延在するように形成されているカム溝２９ｂ、を備えている（詳細は、上記特許文献１参照）。ハートカム機構２９を構成するカム溝２９ｂ内を、後述するイジェクト部材３０の揺動アーム４１先端に設けられたロックピン４４が移動する。
【００３５】
ガイド底壁２５ｃの後端には、また、当接壁２７が形成され、該当接壁２７の後面側には、上述したようにカバー部材１０の補強片１９が配置される。当接壁２７には、カードコネクタ１にＩＣカード９０が挿入されていないとき、コイルバネ４０の作用により、イジェクト部材３０が当接している。当接壁２７の後面側は、補強片１９がきっちりと嵌まり込むように上下及び後方に向けて開放する取り付け溝２７ａが形成されていることが好ましい。
【００３６】
さらに、本実施態様では、図２及び図１１に示されるように、ベース部材２０の左側壁２３に沿って、前方には、ＩＣカード９０がカードコネクタ１内に完全に装着されたことを検出するカード認識スイッチ６０が設けられている。また、カード認識スイッチ６０の後方には、装着されるＩＣカード９０のライトプロテクトボタン９２の位置を検出するライトプロテクトスイッチ７０が設けられている。カード認識スイッチ６０及びライトプロテクトスイッチ７０は、図に示されるように、片持ち梁状に左側壁２３の外側面に支持されている。また、それぞれの接点部６１、７１は、左側壁２３に形成される切欠部２３ａ、２３ｂからカード収容空間５内に臨んであり、ＩＣカード９０の挿入に伴い、外側（左側）に向けて弾性変形可能に配置されている。
【００３７】
次に、本発明の特徴とするイジェクト部材３０について図７（ａ）、（ｂ）、図８（ａ）、（ｂ）、図９（ａ）、（ｂ）及び図１０を用いて詳細に説明する。イジェクト部材３０は、プッシュ・プッシュ式イジェクト機構を構成する主要部材であり、本実施態様においては、金属薄板からプレス加工により形成される。イジェクト部材３０は、ＩＣカード９０の挿抜に伴い、前後方向に、したがって、ＩＣカード９０の挿抜方向に移動する部材である。
【００３８】
本実施態様においては、イジェクト部材３０は、前方から見て略逆Ｕ字形の本体部３１、同じく前方から見て略Ｕ字形の連結部３３及びカード押圧部３４を備えている。本体部３１、連結部３３及びカード押圧部３４は、上述したように、一枚の金属薄板から所定の形状に打ち抜かれ、プレス加工されることで形成される。
【００３９】
本体部３１は、概略、水平上壁３２、外壁（右側壁）としての第１の外壁３５と第２の外壁３６、及び内壁（左側壁）としての第１の内壁３７と第２の内壁３８を有し、前方から見て、または、垂直断面で、略逆Ｕ字形状をなしている。言い換えれば、本体部３１は、概略、水平上壁３２、外壁及び内壁とで前後方向及び下方が開放した箱形形状をなしている。
【００４０】
水平上壁３２は、ほぼ平坦であり、前後方向に所定の長さを持って延在し、組み立てられたとき、カバー部材１０の天板１１に接する。水平上壁３２の概略前方半分は、第１の外壁３５、連結部３３の垂直外壁３３ａ及び第１の内壁３７とでコイルバネ４０を収容するコイルバネ収容空間を形成する。また、水平上壁３２の概略後方半分は、第２の外壁３６、第２の内壁３８とで、後述する揺動アーム４１の揺動空間を形成する。したがって、コイルバネ収容空間と揺動空間は、前後方向に一列状に（すなわち、前後方向同一ライン上に）配置され、それにより、コネクタの幅方向の寸法を小さくすることができる。
【００４１】
第１の外壁３５は、水平上壁３２の前方右側から該水平上壁３２に対して直角をなすように折り曲げられている。第１の外壁３５は、水平上壁３２の前端から該水平上壁３２の長さの約半分の位置まで延在している。本実施態様では、第１の外壁３５の前方部分は、その後端壁部３５ａに比べて、上下方向の長さが短く形成されているがこれに限られるものではない。例えば、第１の外壁３５の前方部分は、下方に開放するスリットを介してその後端壁部３５ａと同じ長さだけ延在していてもよい。この場合、このスリットには、後述する第２のコイルバネ支持片４７を備えるＬ字形折り曲げ片４６の水平部分が嵌め込まれ、該Ｌ字形折り曲げ片４６の水平部分を保持する。第２の外壁３６は、水平上壁３２の後方右側から水平上壁３２に対して直角をなすように折り曲げられている。第２の外壁３６は、第１の外壁３５の後方であって、その延長線上に位置する。本実施態様では、イジェクト部材３０の第１の外壁３５及び第２の外壁３６は、組み立てられたとき、カバー部材１０の右側壁１２ｂに接触し、前後方向に移動可能である。
【００４２】
第１の外壁３５と第２の外壁３６との間には、本実施態様では、揺動アーム４１が形成される。揺動アーム４１は、第１の外壁３５と第２の外壁３６を結ぶ外壁部分を利用し、加工するものであり、第１の外壁３５と第２の外壁３６を結ぶ外壁部分の加工片を、第１の外壁３５の後端壁部３５ａの後端から第２の内壁３８に対して傾斜するように折り曲げることで形成される。
【００４３】
揺動アーム４１は、後端壁部３５ａの後端を支点として弾性変形可能であり、したがって、揺動アーム４１は、揺動空間内を揺動可能である。また、揺動アーム４１の先端部（後端部）には、ロックピン４４が下方に向けて突出形成される。該ロックピン４４は、その下端部を例えば半球状に丸く形成するとともに、その柱状部分の外周を円筒状に形成することが好ましい。このようにロックピン４４の下端部を半球状に形成するとともにその柱状部分の外周を円筒状に形成することで、該ロックピン４４が移動するハートカム機構２９を構成するカム溝２９ｂを傷めることを防止できる。さらに、ロックピン４４が設けられている位置より前方であって、ロックピン４４が突出する方向とは逆に揺動アーム４１から上方に向けて押さえ突起４５が突出形成されている。押さえ突起４５の存在により、何らかの原因でロックピン４４が上昇したとき、押さえ突起４５が上壁３２に当接することで、ロックピン４４がハートカム機構２９を構成するカム溝２９ｂから外れることが防止される。押さえ突起４５は、後述する第２の実施態様に示されるように、揺動アーム４１に沿って前後方向に延在するように形成されていてもよい（図１６参照）。押さえ突起４５をこのように形成することで、揺動アーム４１が補強され、該揺動アーム４１の変形が防止され、したがって、ロックピン４４がカム溝２９ｂから外れることがさらに抑制される。
【００４４】
なお、本実施態様では、揺動アーム４１は、第１の外壁３５の後端壁部３５ａの後端から第２の内壁３８に向けて傾斜するように折り曲げられることで形成されると説明したが、これに限られるものではない。例えば、揺動アーム４１は、後端壁部３５ａの後端から第２の内壁３８に向けて該後端壁部３５ａに対して直角をなすように折り曲げられ、揺動空間の中間付近で第２の内壁３８にほぼ平行になるようにさらに直角に折り曲げられることで形成されてもよい。要は、揺動アーム４１の後端に設けられるロックピン４４が揺動空間内で左右に揺動できるように揺動アーム４１を形成すればよい。
【００４５】
第１の内壁３７は、連結部３３の後方であって、第１の外壁３５に対応する位置に形成される。第１の内壁３７は、水平上壁３２の左側から該水平上壁３２に対して直角をなすように折り曲げられている。
【００４６】
第２の内壁３８は、水平上壁３２の後方左側から上壁３２に対して直角をなすように折り曲げられている。第２の内壁３８は、第１の内壁３７の後方であって、その延長線上に位置する。第２の内壁３８は、水平上壁３２の後端から該水平上壁３２の長さの約半分の位置まで延在している。第１の内壁３７及び第２の内壁３８の下端部分は、ベース部材２０の右ガイドレール２５ｂとガイド底壁２５ｃとの間に形成されたレール溝２６内に緩く嵌合し、レール溝２６内を前後方向に移動可能に配置される。
【００４７】
第２の内壁３８には、前後方向に細長い矩形状の窓部３９が形成され、該窓部３９に対応する内壁部分を利用加工して、該窓部３９の後端側辺から該窓部３９内を前後方向に延在するようにフィーリングロック部材４２が形成される。フィーリングロック部材４２は、窓部３９の後端側辺において第２の内壁３８に対して片持ち梁状に支持される。フィーリングロック部材４２は、カード収容空間５内に突出するように形成されている係合突起４２ａを備え、該係合突起４２ａは、ＩＣカード９０がカード押圧部３４に当接した時、該ＩＣカード９０の係合凹部９１に係合する。フィーリングロック部材４２は、窓部３９の後端側辺を支点として弾性変形可能である。該フィーリングロック部材４２は、装着されているＩＣカード９０の抜けを防止するとともに、ＩＣカード９０を取り外すとき、ＩＣカード９０がカード収容空間から勢いよく飛び出すことを防止する。
【００４８】
フィーリングロック部材４２の弾性変形の支点としての窓部３９の後端側辺は、図１０に示されるように、上記揺動アーム４１の弾性変形の支点としての後端壁部３５ａの後端に対して、該揺動アーム４１の揺動空間を挟んで、概略対角の位置にある。このように支点が対角に配置されていることにより、それぞれの弾性変形が互いの弾性変形に干渉することがなく、また、揺動空間の幅（左右方向に長さ）が小さくても、それぞれの弾性変形量を十分大きくとることが可能となる。
【００４９】
例えば、フィーリングロック部材４２を第１の外壁３５に、揺動アーム４１を第２の内壁３８に設けることも考えられる。しかしながら、この場合、互いの弾性変形の干渉を防ぐために、フィーリングロック部材４２と揺動アーム４１を交差させる必要があり、結果として揺動空間の厚さ（上下方向の高さ）を大きくすることになり、好ましくない。この点からも、フィーリングロック部材４２及び揺動アーム４１を本実施態様のように設けることにより、揺動空間の厚さを低減することができ、コネクタの小型化が可能となる。
【００５０】
第１の内壁３７と第２の内壁３８との間には、本実施態様では、イジェクト部材３０を後方に向けて付勢するコイルバネ４０の他端を支持する第２のコイルバネ支持片４７が設けられる。第２のコイルバネ支持片４７は、Ｌ字形折り曲げ片４６前端の中間部分から前方に向けて例えば水平に突出形成されている。Ｌ字形折り曲げ片４６は、垂直部分と水平部分とを有し、垂直部分が上壁３２の左側から水平上壁３２に対して直角をなすように下方に向けて折り曲げられ、さらに、垂直部分の下端から水平部分が水平上壁３２に平行になるようにコイルバネ収容空間内に折り曲げられる。Ｌ字形折り曲げ片４６の水平部分の後端は、第１の外壁３５の後端壁部３５ａの前端に接触し、その位置が維持される。結果として、Ｌ字形折り曲げ部４６の水平部分は、コイルバネ収容空間と揺動空間との間を仕切る部材として配置されている。
【００５１】
イジェクト部材３０の連結部３３は、本体部３１の前端部分とカード押圧部３４を連結している。連結部３３は、垂直外壁３３ａ、水平下壁３３ｂ及び垂直内壁３３ｃを有し、前方から見て、または、垂直断面で、略Ｕ字形状をなしている。垂直外壁３３ａは、本体部３１の水平上壁３２の前端から第１の内壁３７までの間であって、該水平上壁３２左側から垂直に下方に向かって折り曲げられている。垂直外壁３３ａは、第１の内壁３７及び第２の内壁３８と同一平面内にあり、したがって、垂直外壁３３ａは、本体部３１の内壁の一部を構成し、上述したようにコイルバネ収容空間を形成する。
【００５２】
水平下壁３３ｂが、垂直外壁３３ａの下端から左側に向けて直角に折り曲げられ、続いて垂直内壁３３ｃが水平下壁３３ｂの左端から上方に向けて直角に折り曲げられている。水平下壁３３ｂは、ほぼ平坦であり、組み立てられたとき、その下面が右ガイドレール２５ｂ上面に接して配置されるように形成される。また、垂直外壁３３ａ及び垂直内壁３３ｃは、互いに対して平行である。水平下壁３３ｂ左側前方は、図１０に示されるように、段部３３ｄを有しており、イジェクト部材３０の本体部３１より前方に突出する部分として形成され、垂直内壁３３ｃを介してカード押圧部３４に連結する。したがって、カード押圧部３４の前端面３４ｂは、図１０に示されるように、本体部３１の前端より前方に位置する。
【００５３】
イジェクト部材３０のカード押圧部３４は、全体として平坦な部材であり、連結部３３の垂直内壁３３ｃの上端から左側に向けて直角に折り曲げられ、左側に向かって所定の長さだけ延在している。カード押圧部３４は、また、その上面がイジェクト部材３０の本体部３１の水平上壁３２の水平平面より低い位置にあるように形成されている。なお、カード押圧部３４の左側端部３４ｃは、平坦なカード押圧部３４から下方または斜め下方に向けて折り曲げられていることが好ましい。
【００５４】
連結部３３の水平下壁３３ｂ、垂直内壁３３ｃ及びカード押圧部３４は、カード収容空間５内に延在する。カード押圧部３４のＩＣカード９０の先端面９４が当接する後端面のうち、右側半分は、該ＩＣカード９０に形成される切欠９３に対応して、傾斜面３４ａとして形成されている。該傾斜面３４ａは、連結部３３の水平下壁３３ｂの傾斜面３３ｅに連続している。該傾斜面３４ａは、ＩＣカード９０の（裏表または前後の）逆差しを防止するために設けられるものであり、従来から良く知られている構造である。また、カード押圧部３４の後端面の左側半分は、挿入されるＩＣカード９０の先端面９４に平行であり、したがって、ＩＣカード９０の挿抜方向に直交しており、さらに言えば、ＩＣカード９０を案内する右ガイドレール２５ｂに直角をなしている。カード押圧部３４の前端面３４ｂは、カード押圧部３４の後端面の左側半分と平行であり、したがって、ＩＣカード９０の挿抜方向に直交しており、さらに言えば、ベース部材２０の前壁２２に対しても平行である。
【００５５】
プッシュ・プッシュ式イジェクト機構を構成するコイルバネ４０は、上述したカバー部材１０の第１のコイルバネ支持片１７とイジェクト部材３０の第２のコイルバネ支持片４６との間に保持され、イジェクト部材３０の移動に伴い伸縮する。コイルバネ４０は、また、上述したように、イジェクト部材３０の本体部３１の水平上壁３２、第１の外壁３５、連結部３３の垂直外壁３３ａ及び第１の内壁３７とで形成されるコイルバネ収容空間内に収容される。したがって、コイルバネ４０は、ＩＣカード９０がカードコネクタ１に装着され、圧縮されているとき、その大部分が該コイルバネ収容空間内に収容されることで、左右方向に撓むことが防止される。それにより、コイルバネ４０の前後方向に延びる中心線の延長線上にロックピン４４が位置することになり、イジェクト部材３０を傾斜させることなく真っ直ぐ後方に付勢する。
【００５６】
コイルバネ４０は、また、ＩＣカード９０が挿入され、圧縮されるとき、コイルバネ収容空間内にて上又は下に凸になるように撓むように支持されている。例えば、コイルバネ４０を支持する天板１１に設けられた第１のコイルバネ支持片１７及びイジェクト部材３０に設けられた第２のコイルバネ支持片４７は、それらの先端が若干上方または下方を向くように傾斜して形成されていることが好ましい。このように構成することにより、コイルバネ４０が圧縮されると、該コイルバネ４０は、上又は下に凸に撓み、該コイルバネ４０がコイルバネ収容空間を構成するイジェクト部材３０の水平上壁３２に当接する。それにより、イジェクト部材３０は、その水平上壁３２がカバー部材１０の天板１１に対して接するように移動することが可能となる。結果として、イジェクト部材３０は、例えば、イジェクト部材３０を構成する水平下壁３３ｂがベース部材２０の右ガイドレール２５ｂの上面と接触して移動することを極力避けることが可能となり、ベース部材２０の磨耗を防止することができる。なお、コイルバネ４０は、ＩＣカード９０が挿入されていないとき、あるいは、挿入されるＩＣカード９０の先端面９４がイジェクト部材３０のカード押圧部３４に当接していないときに、予め負荷がかかっている状態に支持してもよい。この場合、第１のコイルバネ支持片１７と第２のコイルバネ支持片４７の間の距離を短くし、コイルバネ４０を上又は下に凸に撓むように支持する。
【００５７】
以上、本発明に係るカードコネクタ１の構造について説明してきたが、ここで、図３及び４を用いて、該カードコネクタ１にＩＣカード９０を装着し、またはそれから取り出す動作（あるいは、ＩＣカードの挿抜動作）について、従来のものと特に変わるものではないが、簡単に説明する。
【００５８】
図３は、ＩＣカード９０がカード挿入口６を介してカード収容空間５内に挿入され、ＩＣカード９０の先端がイジェクト部材３０のカード押圧部３４の傾斜面３４ａを含む後端面に到達した状態を示している。この時、図３にも示されるように、イジェクト部材３０を含むプッシュ・プッシュ式イジェクト機構を構成する部材は全て当初位置にある。具体的には、コイルバネ４０は、圧縮されておらず、したがって、負荷がかかっておらず伸びた状態にある。また、イジェクト部材３０（より具体的には、本体部３１）の後端は、ベース部材２０の当接壁２７内面に接触し、揺動アーム４１のロックピン４４は、ハートカム機構２９を構成するハートカム２９ａから離れたカム溝２９ｂの所定位置（始点）に位置している。また、フィーリングロック部材４２の係合突起４２ａは、ＩＣカード９０の係合凹部９１に係合する。
【００５９】
図３の状態から、ＩＣカード９０を前方に向けてさらに挿入すると、ＩＣカード９０の先端が、イジェクト部材３０のカード押圧部３４を押し、それにより、イジェクト部材３０も前方に移動する。イジェクト部材３０は、その本体部３１の第１の外壁３５及び第２の外壁３６がカバー部材１０の右側壁１２ｂに接触した状態で、また、第１の内壁３７及び第２の内壁３８それぞれの下端部がレール溝２６に緩く嵌合した状態で、前方に移動する。イジェクト部材３０の前方への移動に伴い、圧縮コイルバネ４０が圧縮され、ロックピン４４は、ハートカム機構２９を構成するカム溝２９ｂ内を移動する。したがって、この段階でのＩＣカード９０の挿入に対しては、圧縮コイルバネ４０のバネ力に対抗し得る所定の押し込み力が必要とされる。
【００６０】
図４に示されるように、イジェクト部材３０のカード押圧部３４の前端面３４ｂが、ベース部材２０の前壁２２に到達することで、ＩＣカード９０の挿入が停止される。挿入が停止した後、ＩＣカード９０の挿入のための押し込み力を解除すると、ＩＣカード９０は、圧縮コイルバネ４０の付勢力により、後方へ戻される。この時、ロックピン４４は、ハートカム機構２９を構成するハートカム２９ａの周囲に形成されるカム溝２９ｂに案内され、ハートカムの窪み部分に導かれ、イジェクト部材３０の後退を妨げる。したがって、ＩＣカード９０は、図４に示される装着状態に保持される。また、カード認識スイッチ６０がＩＣカード９０の装着を検出し、ライトプロテクトスイッチ７０がライトプロテクトボタン９２の位置を検出し、ＩＣカード９０への書き込みを禁止するか否かを判断する。
【００６１】
図４の装着状態において、カードコネクタ１からＩＣカード９０を取り出すまたは抜き取るときは、ＩＣカード９０が前壁２２に到達して停止するまで、ＩＣカード９０をコイルバネ４０のバネ力に抗して前方に押し込む。それにより、ＩＣカード９０の挿入時と同様、イジェクト部材３０が前方に移動する。この時、ロックピン４４は、ハートカム機構２９を構成するハートカム２９ａの周囲に形成されるカム溝２９ｂに案内され、ハートカム２９ａの窪み部分から外れ、イジェクト部材３０の後退を可能とする。この時、ＩＣカード９０の押し込み力を解除すれば、イジェクト部材３０は、コイルバネ４０の付勢力により後退し、図３に示される当初位置に戻る。この時、フィーリングロック部材４２の係合突起４２ａがＩＣカード９０の係合凹部９１に係合しているので、ＩＣカード９０は、カードコネクタ１の収容空間から慣性により後方に飛び出すことなく図３に示される位置で停止する。ＩＣカード９０の停止後、ＩＣカード９０のカードコネクタ１から突出している部分を指などで摘んでＩＣカード９０をカードコネクタ１から引き出すことで、ＩＣカード９０をカードコネクタ１から取り出すことが完了する。
【００６２】
（第２の実施態様）
続いて、本発明に係る第２の実施態様について図１２ないし１７を用いて説明する。図１２は、本発明の第２の実施態様に係るカードコネクタの下面図であり、図１３は、図１２のカードコネクタであって、カバー部材を取り除いたカードコネクタの下面図である。図１４は、図１２に示される第２の実施態様に係るカードコネクタに使用されるイジェクト部材であって、左斜め後方であって下方から見た斜視図である。図１５は、図１４に示されるイジェクト部材の右斜め後方であって下方から見た斜視図であり、図１６は、図１４に示されるイジェクト部材の右斜め後方であって上方から見た斜視図である。図１７は、配線基板に対して第１及び第２の実施態様に係るカードコネクタを適用した状態を示す概念図である。なお、図１２ないし１６に示される図は、いずれも下方から見た図であり、図１７に示されるように実際の使用に際しては、図１２ないし１６に示される部品または構成要素は、上下が逆に配置されることに留意されたい。また、図１２ないし１７に説明される第２の実施態様において、上記第１の実施態様において説明されたと同じ部品または構成要素であることを示す場合は、第１の実施態様で表示された数字に１００を加えた数字で表示されている。
【００６３】
図１７の概念図で示されるように、カードコネクタは、電子機器に搭載される他の部品の配置によって、配線基板２００の上側または下側に配置されるかが決定される場合がある。このような場合、ＩＣカード挿入の観点から見ると、上側に配置されたカードコネクタに装着されるＩＣカードと同じ姿勢で、同様のＩＣカードが下側に配置されたカードコネクタに対して装着されることが好ましい。本実施態様に係るカードコネクタ１０１は、配線基板２００の下側に配置されるカードコネクタとして用いられる。すなわち、本実施態様のカードコネクタ１０１は、装着されるＩＣカード１９０が上側に配置されたカードコネクタ、例えば、上記第１の実施態様に係るカードコネクタ１、に装着されるＩＣカード９０と同じ姿勢に装着できるように構成される。なお、本実施態様において、カードコネクタ１０１に装着されるＩＣカード１９０も、これに限られるものではないが、上記第１の実施態様と同じくＳＤカードであるものとする。
【００６４】
図１２、１３及び１７に示されるように、本実施態様におけるカードコネクタ１０１も、第１の実施態様のカードコネクタ１と同様、概略、カバー部材１１０、ベース部材１２０、イジェクト部材１３０及び複数のコンタクト１５０を備えている。図１７から理解されるように、カードコネクタ１０１は、ベース部材１２０が上方に配置され、カバー部材１１０が下方に配置され、丁度、上記第１の実施態様のカードコネクタ１と上下逆に配置された構造を有している。しかしながら、ＩＣカード１９０は、第１の実施態様のカードコネクタ１におけるＩＣカード９０と同じ姿勢で、カードコネクタ１０１に対して挿入、取出しが行われる。すなわち、ＩＣカード１９０は、上方のベース部材１２０と下方のカバー部材１１０とで形成されるカードコネクタ１０１に対して、ＩＣカード１９０の幅が広い部分が上側になり、段差を介して幅が狭い部分が下側となる姿勢で装着される。
【００６５】
本実施態様におけるカバー部材１１０は、金属薄板からプレス加工により形成され、上記第１の実施態様とほぼ同じ構成を備えている。上記第１の実施態様のカバー部材１０との相違点は、図１７からも理解されるように、本実施態様におけるカバー部材１１０がベース部材１２０に対して下側から重ね合わせられることにより、ＩＣカード１９０を収容するカード収容空間１０５が形成されることにある。なお、上述したように、配線基板２００の上側のカードコネクタ１に装着されるＩＣカード９０と同じ姿勢で、配線基板２００の下側に配置される本実施態様に係るカードコネクタ１０１にＩＣカード１９０が装着される必要性がある。すなわち、上述したように、ＩＣカード１９０は、上方のベース部材１２０と下方のカバー部材１１０とで形成されるカードコネクタ１０１に対して、ＩＣカード１９０の幅が広い部分が上側になり、段差を介して幅が狭い部分が下側となる姿勢で装着される。ＩＣカード１９０のこのような装着を可能とするため、後述するように、複数のコンタクト１５０の接点部１５１が下方に向って変位するように、ベース部材１２０の前壁１２２に片持ち梁状に保持される。このような構成とした場合、コンタクト１５０の接点部１５１の下方への変位量を大きく取ることができるようにするとともに、接点部１５１のこのような変位によるコンタクト１５０間の短絡などを防止する必要がある。そのため、本実施態様においては複数のコンタクト１５０の下側に配置されることになるカバー部材１１０の天板１１１には、上記第１の実施態様の場合とは違って、該複数のコンタクト１５０に対応して複数のスリット１１１ａが形成されることが好ましい。
【００６６】
本実施態様におけるベース部材１２０も、基本的には、上記第１の実施態様におけるベース部材２０とほぼ同じ構造を有している。すなわち、ベース部材１２０は、絶縁性の合成樹脂から概略筐形状に成形され、底壁１２１、前壁１２２、左側壁１２３、左右一対のガイドレール１２５ａ、１２５ｂ及びガイド底壁１２５ｃを含んでいる。また、ベース部材１２０が上記したカバー部材１１０と重ね合わせられることで、ＩＣカード１９０の少なくとも一部を収容し得るカード収容空間１０５が形成されることも第１の実施態様と同じである。なお、図１７から理解されるように、ベース部材１２０は、底壁１２１が上方に位置するように、配線基板２００の下側に取り付けられる。しかしながら、繰り返しにはなるが、ＩＣカード１９０は、上記第１の実施態様と同じく、カード収容空間１０５の後方に形成されるカード挿入口１０６から、第１の実施態様におけるＩＣカード９０と同じ姿勢で、前方に向って挿入される。
【００６７】
ベース部材１２０に関し、本実施態様が第１の実施態様と大きく異なる点は、複数のコンタクト１５０の保持構造にある。図１２に示されるように、コンタクト１５０は、ベース部材１２０の前壁１２２の下方部分で該前壁１２２を前後方向に貫通して形成される貫通孔１２２ｄに圧入され、片持ち梁状に保持される。すなわち、複数のコンタクト１５０は、装着されるＩＣカード１９０の先端部分が底壁１２１と複数のコンタクト１５０との間入り込むように前壁１２２に保持される。また、挿入されるＩＣカード１９０の左右の段部を案内する左右一対のガイドレール１２５ａ、１２５ｂは、それぞれ、ベース部材１２０の左側壁１２３及びガイド底壁１２５ｃの後端部に形成されている当接壁１２７からカード収容空間１０５内に向けて突出形成される。左右一対のガイドレール１２５ａ、１２５ｂは、前後方向に延在する。該左右一対のガイドレール１２５ａ及び１２５ｂも、コンタクト１５０と同様、ベース部材１２０の下方に形成される。
【００６８】
次に、第２の実施態様に係るイジェクト部材１３０について図１４ないし１６を用いて詳細に説明する。本実施態様に係るイジェクト部材１３０、プッシュ・プッシュ式イジェクト機構を構成する主要部材であり、金属薄板からプレス加工により形成されることは、上記第１の実施態様と同じである。本実施態様におけるイジェクト部材１３０の構造に関しても、概略上記第１の実施態様におけるイジェクト部材３０と同じである。しかしながら、本実施態様のイジェクト部材１３０が、第１の実施態様のイジェクト部材３０と配線基板２００を挟んでほぼ対称的に配置されることに伴う相違する点を含めて、本実施態様に係るイジェクト部材１３０について以下に簡単に説明する（省略部分は、上記第１の実施態様参照）。
【００６９】
本実施態様においては、イジェクト部材１３０は、前方から見て略Ｕ字形の本体部１３１、同じく前方から見て略階段状の連結部１３３及びカード押圧部１３４を備えている。
【００７０】
本体部１３１は、概略、水平下壁１３２、外壁（右側壁）としての第１の外壁１３５と第２の外壁１３６、及び内壁（左側壁）としての第１の内壁１３７と第２の内壁１３８を有し、前方から見て、または、垂直断面で、略Ｕ字形状をなしている。
【００７１】
水平下壁１３２は、ほぼ平坦であり、前後方向に所定の長さを持って延在し、組み立てられたとき、カバー部材１１０の天板１１１に接する。水平下壁１３２の概略前方半分は、第１の外壁１３５、連結部１３３の垂直外壁１３３ａ及び第１の内壁１３７とでコイルバネ（不図示）を収容するコイルバネ収容空間を形成する。また、水平下壁３２の概略後方半分は、第２の外壁１３６、第２の内壁１３８とで、揺動アーム１４１の揺動空間を形成する。したがって、本実施態様においても、コイルバネ収容空間と揺動空間は、前後方向に一列状に（すなわち、前後方向同一ライン上に）配置され、それにより、コネクタの幅方向の寸法を小さくすることができる。
【００７２】
また、本実施態様でも、イジェクト部材１３０の第１の外壁１３５及び第２の外壁１３６は、組み立てられたとき、カバー部材１１０の右側壁に接触し、前後方向に移動可能である。
【００７３】
第１の外壁１３５と第２の外壁１３６との間には、本実施態様では、揺動アーム１４１が形成される。揺動アーム１４１は、上記第１の実施態様と同様、第１の外壁１３５と第２の外壁１３６を結ぶ外壁部分を利用し、加工するものである。揺動アーム１４１は、後端壁部１３５ａの後端を支点として、揺動空間内を揺動可能であり、その先端部には、ロックピン４４が上方に向けて突出形成される。さらに、揺動アーム１４１には、ロックピン４４が突出する方向とは逆に下方に向けて押さえ突起１４５が突出形成される。該押さえ突起１４５は、本実施態様では、揺動アーム１４１に沿って前後方向に延在するように形成されている。押さえ突起１４５をこのように形成することで、揺動アーム１４１が補強される。
【００７４】
第１の内壁１３７及び第２の内壁１３８は、水平下壁１３２から該下壁１３２に対して直角をなすように折り曲げられている。第２の内壁１３８は、第１の内壁１３７の後方であって、その延長線上に位置する。第２の内壁１３８は、水平下壁１３２の後端から該水平下壁１３２の長さの約半分の位置まで延在している。第１の内壁１３７及び第２の内壁１３８の上端部分は、ベース部材１２０のガイド底壁１２５ｃに形成されたレール溝（不図示）内に緩く嵌合し、該レール溝内を前後方向に移動可能に配置される。
【００７５】
第２の内壁１３８には、前後方向に細長い矩形状の切欠１４０が形成され、該切欠１４０に対応する内壁部分を利用加工して、該切欠１４０の後端側辺の上端部から該切欠１４０内を前後方向に延在するようにフィーリングロック部材１４２が形成される。該フィーリングロック部材１４２は、上記第１の実施態様とは異なり、装着されるＩＣカード１９０の上方幅広部に対応するように、切欠１４０の上方端部に形成される。フィーリングロック部材１４２は、切欠１４０の後端側辺の上端部において第２の内壁１３８に対して片持ち梁状に支持される。フィーリングロック部材１４２は、カード収容空間５内に突出するように形成されている係合突起１４２ａを備え、該係合突起１４２ａは、ＩＣカード１９０がカード押圧部１３４に当接した時、該ＩＣカード１９０の上方の幅広部に形成される係合凹部（不図示）に係合する。フィーリングロック部材１４２は、切欠１４０の後端側辺の上端部を支点として弾性変形可能である。該フィーリングロック部材１４２は、装着されているＩＣカード１９０の抜けを防止するとともに、ＩＣカード１９０を取り外すとき、ＩＣカード１９０がカード収容空間から勢いよく飛び出すことを防止する。
【００７６】
第１の内壁１３７と第２の内壁１３８との間には、本実施態様でも、イジェクト部材１３０を後方に向けて付勢するコイルバネ（不図示）の他端を支持する第２のコイルバネ支持片１４７が設けられる。第２のコイルバネ支持片１４７は、Ｌ字形折り曲げ片１４６前端の中間部分から前方に向けて例えば水平に突出形成されている。
【００７７】
イジェクト部材１３０の連結部１３３は、本体部１３１の前端部分とカード押圧部１３４を連結している。連結部１３３は、垂直外壁１３３ａ、水平壁１３３ｂ及び垂直内壁１３３ｃを有し、前方から見て、または、垂直断面で、階段状をなしている。本実施態様のイジェクト部材１３０は、該連結部１３３の断面形状において、上記第１の実施態様のイジェクト部材３０と構造を異にする。このような構造とすることにより、イジェクト部材１３０のカード押圧部１３４は、装着されるＩＣカード１９０の上方幅広部に対応するように配置される。垂直外壁１３３ａは、本体部１３１の水平下壁１３２の前端から第１の内壁１３７までの間であって、該水平下壁１３２左側から垂直に上方に向かって折り曲げられている。垂直外壁１３３ａは、第１の内壁１３７及び第２の内壁１３８と同一平面内にあり、したがって、垂直外壁１３３ａは、本体部１３１の内壁の一部を構成し、上述したようにコイルバネ収容空間を形成する。
【００７８】
水平壁１３３ｂが、垂直外壁１３３ａの上端から左側に向けて直角に折り曲げられ、続いて垂直内壁１３３ｃが水平壁１３３ｂの左端からさらに上方に向けて直角に折り曲げられている。水平壁１３３ｂは、ほぼ平坦であり、組み立てられたとき、その上面が右ガイドレール１２５ｂ上面に接して配置されるように形成される。また、垂直外壁１３３ａ及び垂直内壁１３３ｃは、互いに対して平行である。水平壁１３３ｂ左側前方は、図１３、１５に示されるように、段部１３３ｄを有しており、イジェクト部材１３０の本体部１３１より前方に突出する部分として形成され、垂直内壁３３ｃを介してカード押圧部３４に連結する。したがって、カード押圧部１３４の前端面１３４ｂは、図１３、１５に示されるように、本体部１３１の前端より前方に位置する。
【００７９】
イジェクト部材１３０のカード押圧部１３４は、全体として平坦な部材であり、連結部１３３の垂直内壁１３３ｃの上端から左側に向けて直角に折り曲げられ、左側に向かって所定の長さだけ延在している。カード押圧部１３４は、また、カードコネクタ１０１として組み立てられたとき、その上面がベース部材１２０の底壁１２１に接触しないように形成されている。なお、カード押圧部１３４の左側端部１３４ｃは、平坦なカード押圧部１３４から下方または斜め下方に向けて折り曲げられていることが好ましい。
【００８０】
連結部１３３の水平壁１３３ｂ、垂直内壁１３３ｃ及びカード押圧部１３４は、カード収容空間１０５内に延在する。カード押圧部１３４のＩＣカード１９０の先端面が当接する後端面のうち、右側半分は、該ＩＣカード１９０に形成される切欠（不図示）に対応して、傾斜面１３４ａとして形成されている。
【００８１】
なお、カードコネクタ１０１にＩＣカード１９０を装着し、またはそれから取り出す動作（あるいは、ＩＣカードの挿抜動作）についても、上記第１の実施態様において述べたと同様であるので説明を省略する。
【図面の簡単な説明】
【００８２】
【図１】本発明に係るカードコネクタの右斜め後方であって上方から見た斜視図である。
【図２】カバー部材を取り除いたカードコネクタの上面図である。
【図３】図２に示されるカバー部材を取り除いたカードコネクタのカード収容空間内にカードが挿入されている途中の状態を示す斜視図である。
【図４】図２に示されるカードコネクタのカード収容空間内にカードが挿入される状態を示す図であり、カードがカード収容空間内に完全に挿入された状態を示す斜視図である。
【図５】イジェクト部材が組み込まれたカバー部材の下面図である。
【図６】図５のカバー部材の左斜め後方であって下方から見た斜視図である。
【図７】本発明に係るカードコネクタのイジェクト部材の図であり、（ａ）は、イジェクト部材の左斜め前方であって上方から見た斜視図であり、（ｂ）は、（ａ）のイジェクト部材に圧縮コイルバネが組み込まれている図である。
【図８】本発明に係るカードコネクタのイジェクト部材の図であり、（ａ）は、図７（ａ）に示されるイジェクト部材の上面図であり、（ｂ）は、図７（ａ）に示されるイジェクト部材を別の角度から見た斜視図である。
【図９】本発明に係るカードコネクタのイジェクト部材の図であり、（ａ）は、イジェクト部材の右斜め前方であって下方から見た斜視図であり、（ｂ）は、（ａ）に示されるイジェクト部材の一部拡大図である。
【図１０】図７（ａ）に示されるイジェクト部材の下面図である。
【図１１】複数のコンタクトが配置されたベース部材の右斜め後方であって上方から見た斜視図である。
【図１２】本発明の第２の実施態様に係るカードコネクタの下面図である。図１２のカードコネクタであって、カバー部材を取り除いたカードコネクタの下面図である。
【図１３】図１２のカードコネクタであって、カバー部材を取り除いたカードコネクタの下面図である。
【図１４】図１２に示される第２の実施態様に係るカードコネクタに使用されるイジェクト部材であって、左斜め後方であって下方から見た斜視図である。
【図１５】図１４に示されるイジェクト部材の右斜め後方であって下方から見た斜視図である。
【図１６】図１４に示されるイジェクト部材の右斜め後方であって上方から見た斜視図である。
【図１７】配線基板に対して第１及び第２の実施態様に係るカードコネクタを適用した状態を示す概念図である。
【符号の説明】
【００８３】
１、１０１        カードコネクタ
５、１０５        カード収容空間
１０、１１０      カバー部材
１１、１１１      （カバー部材の）天板
１２ａ            （カバー部材の）左側壁
１２ｂ            （カバー部材の）右側壁
２０、１２０      ベース部材
２１、１２１      （ベース部材の）底壁
２２、１２２      （ベース部材の）前壁
２３              （ベース部材の）側壁
２９              ハートカム機構
２９ａ            ハートカム
２９ｂ            カム溝
３０、１３０      イジェクト部材
３１、１３１      本体部
３２              （本体部の）水平上壁
３３、１３３      連結部
３３ａ            （連結部の）垂直外壁
３３ｂ            （連結部の）水平下壁
３３ｃ            （連結部の）垂直内壁
３４、１３４      カード押圧部
３５              （本体部の）第１の外壁
３６              （本体部の）第２の外壁
３７              （本体部の）第１の内壁
３８              （本体部の）第２の内壁
４１、１４１      揺動アーム
４２、１４２      フィーリングロック部材
４４              ロックピン
５０、１５０      コンタクト
９０、１９０      ＩＣカード
【図１】
2010050077.tif 000003
【図２】
2010050077.tif 000004
【図３】
2010050077.tif 000005
【図４】
2010050077.tif 000006
【図５】
2010050077.tif 000007
【図６】
2010050077.tif 000008
【図７】
2010050077.tif 000009
【図８】
2010050077.tif 000010
【図９】
2010050077.tif 000011
【図１０】
2010050077.tif 000012
【図１１】
2010050077.tif 000013
【図１２】
2010050077.tif 000014
【図１３】
2010050077.tif 000015
【図１４】
2010050077.tif 000016
【図１５】
2010050077.tif 000017
【図１６】
2010050077.tif 000018
【図１７】
2010050077.tif 000019